(57)【特許請求の範囲】
【請求項１】
モータの駆動力により筆記芯の出没を可能にした電動筆記具において、
複数の前記筆記芯を収容する軸筒と、
ユーザによる操作を受け付ける操作受付手段と、
前記モータの駆動力により前記筆記芯を前記軸筒の先端から出没させると共に、前記操作受付手段で受け付けた前記操作に基づいて前記複数の筆記芯の出没状態を制御する筆記芯制御手段と、
を備え、
前記筆記芯制御手段は、
前記操作受付手段が前記複数の筆記芯の何れかを選択するための芯選択操作を受け付けたときには、当該芯選択操作により選択された前記筆記芯を前記軸筒の先端から突出させ、
前記操作受付手段が前記複数の筆記芯のすべてを格納するための芯格納操作を受け付けたときには、すべての前記筆記芯を前記軸筒内に埋没させるように前記モータを駆動させることを特徴とする電動多芯筆記具。
【請求項２】
モータの駆動力により筆記芯の出没を可能にした電動筆記具において、
複数の前記筆記芯を収容する軸筒と、
ユーザによる操作を受け付ける操作受付手段と、
前記モータの駆動力により前記筆記芯を前記軸筒の先端から出没させると共に、前記操作受付手段で受け付けた前記操作に基づいて前記複数の筆記芯の出没状態を制御する筆記芯制御手段と、
を備え、
前記操作受付手段は、
前記複数の筆記芯の各々に対応する複数のスイッチを有し、
前記筆記芯制御手段は、
前記複数の前記スイッチのうち、ユーザにより操作された前記スイッチに対応する前記筆記芯を、前記軸筒の先端から突出させるように前記モータを駆動させることを特徴とする記載の電動多芯筆記具。
【請求項３】
前記複数の筆記芯の出没状態を検知する出没状態検知手段を更に備え、
前記筆記芯制御手段は、
ユーザにより操作された前記スイッチに対応する前記筆記芯の種別と、前記出没状態検知手段により前記軸筒の先端から現在突出していると検知された前記筆記芯の種別と、が一致する場合には、
すべての前記筆記芯を前記軸筒内に埋没させるように前記モータを駆動させることを特徴とする請求項２に記載の電動多芯筆記具。
【請求項４】
モータの駆動力により筆記芯の出没を可能にした電動筆記具において、
複数の前記筆記芯を収容する軸筒と、
ユーザによる操作を受け付ける操作受付手段と、
前記モータの駆動力により前記筆記芯を前記軸筒の先端から出没させると共に、前記操作受付手段で受け付けた前記操作に基づいて前記複数の筆記芯の出没状態を制御する筆記芯制御手段と、
を備え、
前記操作受付手段は、
前記筆記芯の数よりも少ない数のスイッチを有し、
前記筆記芯制御手段は、
予め定められた操作手順で行われる前記スイッチの操作を前記操作受付手段が検出した場合には、前記操作手順に対応する前記筆記芯を、前記軸筒の先端から突出させるように前記モータを駆動させることを特徴とする電動多芯筆記具。
【発明の詳細な説明】
【技術分野】
【０００１】
本発明は、モータの駆動力によって筆記芯の出没を可能にした電動筆記具に係り、複数種類の筆記芯の選択的な出没を可能にする電動多芯筆記具に関するものである。
【背景技術】
【０００２】
従来、このような分野の技術として、特開２００１−１２１８８１号公報がある。この公報に記載された電動筆記具にあっては、ボールペン筆記芯の収納状態においてスイッチを押圧すると、制御回路により小型ＤＣモータの回転軸が回転を開始する。それに伴って回転ネジ棒が回転して摺動ネジ筒が前進する。これによって、ボールペン筆記芯が前進する。そして、摺動ネジ筒が、さらに前進してセンサスイッチのボタン部を押し込むことにより、制御回路を介して小型ＤＣモータの回転を停止させる。また、筆記を終了する場合、スイッチを押圧すると制御回路により、小型ＤＣモータの回転軸が逆転を開始する。それに伴って、回転ネジ棒が回転し、摺動ネジ筒が後退する。これによって、ボールペン筆記芯が後退する。そして、摺動ネジ筒がセンサスイッチのボタン部を押し込むことにより制御回路を介して小型ＤＣモータの回転が停止する。
【特許文献１】特開２００１−１２１８８１号公報
【特許文献２】特開２００１−２３９７８９号公報
【発明の開示】
【発明が解決しようとする課題】
【０００３】
しかしながら、前述した従来の電動筆記具は、一芯すなわち一本の筆記芯の出没をモータの駆動力によって達成させ、単色の筆記のみを可能にしているが、電動筆記具に関しては、近年、１本の筆記具で多色の選択が可能なものが求められている。
【０００４】
本発明は、モータの駆動力によって、複数種類の筆記芯の選択的な出没が可能な電動多芯筆記具を提供することを目的とする。
【課題を解決するための手段】
【０００５】
本発明に係る電動多芯筆記具は、モータの駆動力により筆記芯の出没を可能にした電動筆記具において、複数の筆記芯を収容する軸筒と、ユーザによる操作を受け付ける操作受付手段と、モータの駆動力により筆記芯を軸筒の先端から出没させると共に、操作受付手段で受け付けた操作に基づいて複数の筆記芯の出没状態を制御する筆記芯制御手段と、を備え、筆記芯制御手段は、操作受付手段が複数の筆記芯の何れかを選択するための芯選択操作を受け付けたときには、当該芯選択操作により選択された筆記芯を軸筒の先端から突出させ、操作受付手段が複数の筆記芯のすべてを格納するための芯格納操作を受け付けたときには、すべての筆記芯を軸筒内に埋没させるようにモータを駆動させることを特徴とする。
【０００６】
この電動多芯筆記具では、ユーザの操作を操作受付手段で受け付け、その操作に基づいて筆記芯出制御手段がモータの駆動力によって軸筒の先端から筆記芯を出没させることで、複数の筆記芯をユーザが望む出没状態とすることができる。
【０００７】
また、筆記芯制御手段は、操作受付手段が複数の筆記芯の何れかを選択するための芯選択操作を受け付けたときには、当該芯選択操作により選択された筆記芯を軸筒の先端から突出させ、操作受付手段が複数の筆記芯のすべてを格納するための芯格納操作を受け付けたときには、すべての筆記芯を軸筒内に埋没させるようにモータを駆動させることとしている。
【０００８】
この場合、ユーザが所望の筆記芯を芯選択操作で選択すると、筆記芯制御手段が選択された筆記芯を軸筒の先端から突出させるので、ユーザは望む筆記芯を突出させることができる。また、ユーザが芯格納操作を行うと、筆記芯制御手段が筆記芯のすべてを軸筒内に埋没させるので、ユーザは操作により筆記芯をすべて埋没させることができる。
【０００９】
また、本発明に係る電動多芯筆記具は、モータの駆動力により筆記芯の出没を可能にした電動筆記具において、複数の筆記芯を収容する軸筒と、ユーザによる操作を受け付ける操作受付手段と、モータの駆動力により筆記芯を軸筒の先端から出没させると共に、操作受付手段で受け付けた操作に基づいて複数の筆記芯の出没状態を制御する筆記芯制御手段と、を備え、操作受付手段は、複数の筆記芯の各々に対応する複数のスイッチを有し、筆記芯制御手段は、複数のスイッチのうち、ユーザにより操作されたスイッチに対応する筆記芯を、軸筒の先端から突出させるようにモータを駆動させることを特徴とする。
【００１０】
この場合、ユーザは、芯選択操作において所望の筆記芯に対応するスイッチを操作することで、当該筆記芯を突出させることができる。
【００１１】
また、本発明の電動多芯筆記具は、複数の筆記芯の出没状態を検知する出没状態検知手段を更に備え、筆記芯制御手段は、ユーザにより操作されたスイッチに対応する筆記芯の種別と、出没状態検知手段により軸筒の先端から現在突出していると検知された筆記芯の種別と、が一致する場合には、すべての筆記芯を軸筒内に埋没させるようにモータを駆動させることとしてもよい。
【００１２】
この場合、ユーザは、現在突出している筆記芯の種別に対応するスイッチを操作することにより、すべての筆記芯を軸筒内に埋没させることができる。
【００１３】
また、本発明に係る電動多芯筆記具は、モータの駆動力により筆記芯の出没を可能にした電動筆記具において、複数の筆記芯を収容する軸筒と、ユーザによる操作を受け付ける操作受付手段と、モータの駆動力により筆記芯を軸筒の先端から出没させると共に、操作受付手段で受け付けた操作に基づいて複数の筆記芯の出没状態を制御する筆記芯制御手段と、を備え、操作受付手段は、筆記芯の数よりも少ない数のスイッチを有し、筆記芯制御手段は、予め定められた操作手順で行われるスイッチの操作を操作受付手段が検出した場合には、操作手順に対応する筆記芯を、軸筒の先端から突出させるようにモータを駆動させることを特徴とする。
【００１４】
この場合、ユーザは、予め定められた操作手順でスイッチを操作することで、所望の筆記芯を軸筒から突出させることができる。また、筆記芯の数よりも操作受付手段のスイッチの数を少なくしているので、操作受付手段を簡易化することができる。
【発明の効果】
【００１５】
本発明によれば、モータの駆動力によって、複数種類の筆記芯の選択的な出没が可能になる。
【発明を実施するための最良の形態】
【００１６】
以下、図面を参照しつつ本発明に係る電動多芯筆記具の好適な実施形態について詳細に説明する。なお、ペン先側を「前方側」として以下説明する。
【００１７】
（第１実施形態）
図１〜図３に示すように、電動多芯筆記具１は、前軸２ａと後軸２ｂとキャップ２ｃとからなる軸筒２を有し、前軸２ａの後側に設けられた雄ネジ部と後軸２ｂの前側に設けられた雌ネジ部との螺合によって、前軸２ａと後軸２ｂは連結されている。後軸２ｂの後側に設けられた雄ネジ部とキャップ２ｃの前側に設けられた雌ネジ部との螺合によって、後軸２ｂとキャップ２ｃは連結されている。なお、前軸２ａにグリップを設けてもよい。
【００１８】
軸筒２内には、種類の異なる３本の筆記芯３が収容されている。なお、以下においては、３本の筆記芯３として、赤のインクが入った筆記芯（以下、赤芯）３ｒと、黒のインクが入った筆記芯（以下、黒芯）３ｋと、青のインクが入った筆記芯（以下、青芯）３ｂと、が採用されているものとして説明する。それぞれの筆記芯３は、操作部６０から入力されるユーザからの指示に基づいて、減速モータ２０の駆動力により作動する筆記芯出没機構１０を介して、軸筒２の先端から選択的に出没される。この筆記芯出没機構１０は軸筒２内に収容されている。
【００１９】
軸筒２内において、筆記芯出没機構１０の後方には、減速モータ２０が配置され、減速モータ２０の出力軸２０ａと筆記芯出没機構１０とを連結部３０によって連結している。さらに、軸筒２内において、減速モータ２０の後方には、電源として利用される３個のボタン電池４０が配置され、各ボタン電池４０は直列に接続されている。そして、各ボタン電池４０は、後軸２ｂに対してネジ結合されたキャップ２ｃを外すことで交換可能である。また、このキャップ２ｃには、クリップ５が設けられている。
【００２０】
図２及び図４に示すように、筆記芯出没機構１０は、減速モータ２０の出力軸２０ａに連動し、軸筒２内で回転自在な駆動カム１１と、筆記芯３のそれぞれの後端に固定されると共に、バネ力によって駆動カム１１のカム面１６に付勢された従動面１２ａを有するカムフォロア１２と、カムフォロア１２を駆動カム１１に向けて付勢する螺旋バネ１３とからなる。
【００２１】
駆動カム１１は、軸筒２の内周面に沿って周方向に摺動する円筒状の基部１１ａと、この基部１１ａの端部から軸筒２の先端側に向けて突出する山形状のカム面１６を有するカム本体部１１ｂとからなる。このカム本体部１１ｂは、基部１１ａの端から爪状に突出すると共に、円筒を斜めに切断した形状をなしている。
【００２２】
カムフォロア１２には、Ｖ字状の従動面１２ａと、従動面１２ａに対し直交して延在すると共に、駆動カム１１に向けて突出する舌片１２ｂとが形成され、円弧状の舌片１２ｂの表面とカム本体部１１ｂの裏面とは接触している。さらに、カムフォロア１２には、軸筒２の中心軸線方向に延在する直線状のガイド片１２ｃが設けられ、ガイド片１２ｃは、軸筒２の内周面に形成されたガイド溝２ｄ（図２参照）内を軸筒２の中心軸線方向に移動する。
【００２３】
図２に示すように、螺旋バネ１３の一端はカムフォロア１２の前端に係止され、螺旋バネ１３の他端は、軸筒２内に形成されたバネ受け部１４に係止されている。従って、各螺旋バネ１３のバネ力をそれぞれの筆記芯３に伝達することができ、駆動カム１１のカム面１６にカムフォロア１２の従動面１２ａを常に当接させておくことができる。
【００２４】
この場合、減速モータ２０の出力軸２０ａに連結された駆動カム１１が、減速モータ２０の出力軸２０ａと同じ方向及び同じ回転角度だけ回転すると、山形状をなすカム面１６の頂部１６ａによって、筆記芯３の後端に固定されたカムフォロア１２を、螺旋バネ１３のバネ力に抗して軸筒２の先端側に向けて押圧する。これによって、筆記芯３のペン先３ａが軸筒２の先端から突出し、当該筆記芯３が筆記可能の状態となる。
【００２５】
このような基本動作に基づいて、所望のカムフォロア１２が存在する位置まで駆動カム１１が所望の角度だけ回転して、カム面１６の頂部１６ａも所定角度だけ回転すると、カム面１６の頂部１６ａとカムフォロア１２の頂部１２ｄとが合致し、例えば、赤芯３ｒを軸筒２の先端から突出させることができる。この状態から、駆動カム１１が６０度回転すると、カム面１６の頂部１６ａが、隣接するカムフォロア１２の頂部１２ｄの中間に移動し、赤芯３ｒのペン先３ａが軸筒２内に完全に入り込む。このとき、残りの２つの筆記芯３ｋ，３ｂも、未だ軸筒２内に埋没しているので、すべての筆記芯３のペン先３ａが軸筒２内に格納された状態となる。そして、この状態から更に６０度駆動カム１１が回転すると、赤芯３ｒに隣接する黒芯３ｋが軸筒２の先端から突出する。
【００２６】
以上のような動作を繰り返すことにより、この筆記芯出没機構１０では、駆動カム１１が一方向に６０度ずつ回転する毎に、赤芯３ｒが突出→全ての筆記芯３が埋没→黒芯３ｋが突出→全ての筆記芯３が埋没→赤芯３ｂが突出→全ての筆記芯３が埋没→赤芯３ｒが突出→…といったように、筆記芯３の出没状態を循環して移行させることができる。なお、前軸２ａを外すことにより、筆記芯３は交換できるので、任意に筆記芯３を入れ替えることができ、ペン先３ａの出現の順番をユーザが変えることもできる。
【００２７】
連結部３０は、減速モータ２０の出力軸２０ａにネジによって固定された凸部材３１と、駆動カム１１の底壁に形成された凹部３２とからなる。凸部材３１が凹部３２に嵌合することで、減速モータ２０の出力軸２０ａの回転が、筆記芯出没機構１０の駆動カム１１に確実に伝達される。
【００２８】
続いて、このような電動多芯筆記具１における筆記芯３の出没状態の制御について説明する。なお、以下の説明では、赤芯３ｒのペン先が軸筒２の先端から突出している筆記芯出没状態を「赤芯筆記状態」、黒芯３ｋのペン先が軸筒２の先端から突出している筆記芯出没状態を「黒芯筆記状態」、青芯３ｂのペン先が軸筒２の先端から突出している筆記芯出没状態を「青芯筆記状態」という場合がある。また、すべての筆記芯３ｒ，３ｋ，３ｂのペン先が軸筒２に埋没している筆記芯出没状態を「全芯格納状態」という場合がある。
【００２９】
図３に示すように、電動多芯筆記具１は、ユーザの操作を受け付ける操作部６０と、ユーザの操作に対応する動作を実現するように減速モータ２０を制御するモータ制御部７０を備えている。更に、モータ制御部７０は、モータ制御に必要な情報処理を行う情報処理部８０を備えている。
【００３０】
図２、図３及び図５に示すように、このモータ制御部７０は、減速モータ２０の前端に固定された基板５３上に位置する投受光型のフォトセンサＡ，Ｂと、駆動カム１１の底壁に固定されると共に、反射膜Ｓ１，Ｓ２が所定位置に配置されたエンコーダ５４とからなる位置検出部５５を備えている。例えば、軸筒２内で３種類の筆記芯３を１２０度毎に配置させている場合、図５に示すように、フォトセンサＡ，Ｂは、略１２０度の配置関係にあり、また、反射膜Ｓ１，Ｓ２は、６０度の広がりをもった扇形状をなし、反射膜Ｓ１と反射膜Ｓ２とは６０度離間している。各フォトセンサＡ，Ｂは、それぞれ、対面する位置に反射膜Ｓ１又はＳ２を検出したときに、情報処理部８０に対して所定の検出信号を出力する。
【００３１】
そして、減速モータ２０の出力軸２０ａを矢印Ｙ（図５（Ａ）参照）方向に回転させるとすれば、駆動カム１１も矢印Ｙ方向に回転し、エンコーダ５４も矢印Ｙ方向に回転する。そして、エンコーダ５４が６０度回転する毎に、フォトセンサＡから出力される検出信号とフォトセンサＢとから出力される検出信号とのＯＮ／ＯＦＦの組合せが変化する。以下、フォトセンサＡから出力される検出信号とフォトセンサＢとから出力される検出信号とのＯＮ／ＯＦＦの組合せのことを、「信号組合せ」という。
【００３２】
一方で、情報処理部８０には、上記の信号組合せと、３本の筆記芯３の出没状態と、が関連付けられたセンサ設定情報８１が記憶されている。従って、情報処理部８０は、このセンサ設定情報８１を参照することで、上記信号組合せに基づいて、現在の筆記芯３の出没状態を検知することができる。例えばここでは、情報処理部８０は、信号組合せが「センサＡがＯＮでセンサＢがＯＦＦ」の場合には筆記芯３の出没状態が「赤芯筆記状態」であり、「センサＡがＯＮでセンサＢがＯＮ」の場合には筆記芯３の出没状態が「黒芯筆記状態」であり、「センサＡがＯＦＦでセンサＢがＯＮ」の場合には筆記芯３の出没状態が「青芯筆記状態」であることを検知する。また、信号組合せが「センサＡがＯＦＦでセンサＢがＯＦＦ」の場合には、筆記芯３の出没状態が「全芯格納状態」であることを検知する。
【００３３】
このような構造の位置検出部５５は、電動多芯筆記具１に組み込み易く、簡単な構成をもって駆動カム１１の位置を特定することができ、現在の筆記芯３の出没状態を検知する出没状態検知手段を構成する。モータ制御部７０は、このような位置検出部５５を有することで、目標の出没状態に対応する位置まで筆記芯出没機構１０を駆動する制御が可能になる。
【００３４】
また、ユーザの指示が入力される操作部６０は、赤スイッチ６１ｒ、黒スイッチ６１ｋ、青スイッチ６１ｂといった３個の押しボタンスイッチを有している。これらのスイッチ６１ｒ，６１ｋ，６１ｂは、ユーザの指で押下げられたときにＯＮ状態となり、ユーザが指を離すとバネで復帰しＯＦＦ状態となるタイプのものである。そして、各スイッチ６１ｒ，６１ｋ，６１ｂは、ＯＮ状態になったときに、情報処理部８０に対して所定のＯＮ信号を出力する。
【００３５】
上記３つのスイッチ６１ｒ，６１ｋ，６１ｂは、それぞれ筆記芯３ｒ，３ｋ，３ｂに一対一で対応しており、何れかのスイッチ６１ｒ，６１ｋ，６１ｂが押されると（芯選択操作）、押されたスイッチに対応する筆記芯３のペン先が軸筒２の先端から突出する。また、現在突出している筆記芯３に対応する何れかのスイッチ６１ｒ，６１ｋ，６１ｂが再び押されると（芯格納操作）、すべての筆記芯３のペン先が軸筒２に埋没した状態となる。例えば、赤芯３ｒが突出している状態で赤スイッチ６１ｒが押されると、すべての筆記芯が軸筒２内に埋没する。
【００３６】
また、このスイッチ６１ｒ，６１ｋ，６１ｂの下には、情報処理基板５２（図２参照）が埋め込まれている。この情報処理基板５２上には、スイッチ６１ｒ，６１ｋ，６１ｂ、フォトセンサＡ，Ｂ、減速モータ２０との間で電気信号授受を行う半導体チップ５２ａが搭載されている。上記の情報処理部８０は、この半導体チップ５２ａが、予め格納された所定のプログラムに従って動作することでソフトウエア的に実現される構成要素である。また、上記のセンサ設定情報８１は、この半導体チップ５２ａの記憶領域に格納される。
【００３７】
電動多芯筆記具１のユーザ操作に応じた上述の動作を実現するための情報処理部８０の処理について図３、図６及び図７を参照し説明する。
【００３８】
ユーザの操作によって、情報処理部８０が赤スイッチ６１ｒからのＯＮ信号を受けた場合には（Ｓ１０１）、フォトセンサＡ及びＢからの検出信号をそれぞれ参照し、現在の信号組合せを検知する。そして情報処理部８０は、現在の信号組合せが、「赤芯筆記状態」に対応する信号組合せ（センサＡがＯＮでセンサＢがＯＦＦ）であるか否かを判断する（Ｓ１０２）。ここで、現在の信号組合せが、「赤芯筆記状態」に対応する組合せではないと判断される場合には、モータ駆動で移行すべき目標の信号組合せは、「赤芯筆記状態」に対応する組合せであると認識される（Ｓ１０３）。一方、Ｓ１０２の処理において、現在の信号組合せが、「赤芯筆記状態」に対応する組合せであると判断される場合には、移行すべき目標の信号組合せは、「全芯格納状態」に対応する組合せであると認識される（Ｓ１０４）。
【００３９】
また、ユーザの操作によって、情報処理部８０が黒スイッチ６１ｋからのＯＮ信号を受けた場合には（Ｓ１１１）、処理Ｓ１１２〜Ｓ１１４を行って、移行すべき目標の信号組合せを認識する。同様に、ユーザの操作によって、情報処理部８０が青スイッチ６１ｂからのＯＮ信号を受けた場合には（Ｓ１２１）、処理Ｓ１２２〜Ｓ１２４を行って、移行すべき目標の信号組合せを認識する。なお、処理Ｓ１１２〜Ｓ１１４及び処理Ｓ１２２〜Ｓ１２４は、前述の処理Ｓ１０２〜Ｓ１０４における”赤スイッチ６１ｒ”を、それぞれ”黒スイッチ６１ｋ”、”青スイッチ６１ｂ”に読み替えると共に、”赤芯”を、それぞれ”黒芯”、”青芯”に読み替えることにより理解される同等の処理であるので、詳細な説明を省略する。
【００４０】
以上の処理Ｓ１０３，Ｓ１０４，Ｓ１１３，Ｓ１１４，Ｓ１２３，Ｓ１２４の何れかを経た後、情報処理部８０は、認識された目標の信号組合せに移行するようにエンコーダ５４を回転させるべく、減速モータ２０を駆動する（Ｓ１３１）。
【００４１】
この処理Ｓ１３１については、図３及び図７を参照しながら更に説明する。まず、情報処理部８０は、減速モータ２０への通電を開始しＹ方向（図５（Ａ）参照）への回転を開始させる（Ｓ２０１）。そして、情報処理部８０は、減速モータ２０の回転が継続している間、センサＡ，Ｂの現在の信号組合せを繰り返し検知し（Ｓ２０２）、検知された信号組合せと目標の信号組合せとの比較（Ｓ２０３）を繰り返す。そして、検知した信号組合せが目標の信号組合せに一致したときに、減速モータ２０への通電を停止し回転を停止させる（Ｓ２０４）。
【００４２】
この結果、目標の信号組合せが得られた状態でエンコーダ５４が停止し、筆記芯出没機構１０の駆動カム１１が停止するので、目標とする筆記芯出没状態が達成される。以上のように、この電動多芯筆記具１のユーザは、操作部６０の操作によって、所望の何れかの筆記芯３を軸筒２の先端から突出させたり、すべての筆記芯３を軸筒２内に格納させたりすることが可能である。なお、筆記芯出没機構１０によれば、「全芯格納状態」に対応する位置は、駆動カム１１が１回転する間に３箇所現れることになるが、上記処理Ｓ２０１〜Ｓ２０４によれば、駆動カム１１が「全芯格納状態」に対応する最初の位置に到達したときに減速モータ２０が停止されることになる。
【００４３】
また、この電動多芯筆記具１では、筆記芯出没機構１０の駆動カム１１を一方向に回転させることで、すべての筆記芯出没状態への移行が可能である。従って、駆動カム１１を逆回転させる必要がなく、この電動多芯筆記具１では、一方向にのみ回転可能な安価な減速モータ２０を採用することができる。また、上述した情報処理部８０の処理によれば、操作部６０の３つのスイッチ６１ｒ，６１ｋ，６１ｂで、４種類のユーザの指示を受け付けることができる。すなわち、情報処理部８０の処理によれば、各筆記芯３ｒ，３ｋ，３ｂを筆記状態にするためのスイッチ６１ｒ，６１ｋ，６１ｂを筆記芯に一対一で対応させ設けることでユーザの直感的な操作を可能にすると共に、全芯格納状態とするためのスイッチは別途設ける必要がなく、操作部６０の簡略化が図られる。
【００４４】
（第２実施形態）
図８に示す電動多芯筆記具１０１は、電動多芯筆記具１における操作部６０及び情報処理部８０に代えて、操作部１６０及び情報処理部１８０を備えている。操作部１６０は、第１スイッチ９１、第２スイッチ９２といった２個の押しボタンスイッチを有している。そして、予め定められた手順で行われるスイッチ操作が、各筆記芯出没状態に対応付けられている。具体的には、第１スイッチ９１が所定の時間よりも短く１回だけ押されると（以下「１回押し操作」という）、電動多芯筆記具１０１は赤芯筆記状態となる。また、第１スイッチ９１が所定の時間内に２回連続して押されると（以下「２回押し操作」という）、電動多芯筆記具１０１は黒芯筆記状態となる。そして、第１スイッチ９１が所定の時間以上長く押し続けられると（以下「長押し操作」という）、電動多芯筆記具１０１は青芯筆記状態となる。また、第２スイッチ９２が押されると全芯格納状態となる。このようなスイッチ操作手順と、実現される筆記芯出没状態との対応関係は予め設定され、操作手順設定情報１８２として情報処理部１８０に記憶されている。
【００４５】
電動多芯筆記具１０１のこのような動作を実現するための情報処理部１８０の処理について図９を参照し説明する。
【００４６】
ユーザの操作によって、情報処理部１８０が第２スイッチ９２からのＯＮ信号を受けた（Ｓ３０１）場合には、操作手順設定情報１８２を参照し、移行すべき目標の信号組合せは、「全芯格納状態」に対応する組合せ（センサＡがＯＦＦでセンサＢがＯＦＦ）であると認識する（Ｓ３２４）。一方、情報処理部１８０が第１スイッチ９１からのＯＮ信号を受けた（Ｓ３０２）場合には、所定時間のウエイト処理（Ｓ３０３）を経た後、更に第１スイッチ９１からのＯＮ信号が継続しているか否かを判定する（Ｓ３０４）。このような処理Ｓ３０３，Ｓ３０４が最大で合計３回繰り返される。
【００４７】
そして、処理Ｓ３０３，Ｓ３０４を３回繰り返した時点で、第１スイッチ９１からのＯＮ信号が継続している場合には、ユーザの操作が「第１スイッチ９１の長押し操作」であったことを意味する。従って、情報処理部１８０は、操作手順設定情報１８２を参照し、移行すべき目標の信号組合せが、「青芯筆記状態」に対応する組合せであると認識する（Ｓ３２１）。
【００４８】
一方、繰り返される上記処理Ｓ３０４の何れかにおいて、第１スイッチ９１からのＯＮ信号が一旦途切れた（ＯＦＦになった）と判定された場合には、第１スイッチ９１からの２回目のＯＮ信号を待つため、第１スイッチからの２回目のＯＮ信号が入力されたか否かの判定がなされる（Ｓ３０９）。ここで、第１スイッチからの２回目のＯＮ信号が入力されていない場合には、所定時間のウエイト処理（Ｓ３１０）を経た後、再度、第１スイッチ９１からの２回目のＯＮ信号が入力されたか否かを判定する（Ｓ３１１）。このような処理Ｓ３１０，Ｓ３１１が最大で合計３回繰り返される。
【００４９】
そして、処理Ｓ３１０，Ｓ３１１を３回繰り返した時点で、第１スイッチ９１からの２回目のＯＮ信号が入力されていない場合、ユーザの操作は「第１スイッチ９１の１回押し操作」であったことを意味する。従って、情報処理部１８０は、操作手順設定情報１８２を参照し、移行すべき目標の信号組合せが、「赤芯筆記状態」に対応する組合せであると認識する（Ｓ３２２）。
【００５０】
一方、繰り返される上記処理Ｓ３１１の何れかにおいて、第１スイッチ９１からのＯＮ信号が入力されたと判定された場合には、ユーザの操作が「第１スイッチ９１の２回押し」であったことを意味する。従って、情報処理部１８０は、操作手順設定情報１８２を参照し、移行すべき目標の信号組合せが、「黒芯筆記状態」に対応する組合せであると認識する（Ｓ３２３）。
【００５１】
以上の処理Ｓ３２１，Ｓ３２２，Ｓ３２３，Ｓ３２４の何れかを経た後、情報処理部１８０は、認識された目標の信号組合せに移行するようにエンコーダ５４を回転させるべく、減速モータ２０を駆動する（Ｓ１３１）。なお、この処理Ｓ１３１の詳細は、図７において既に説明した通りである。以上のような処理の結果、目標の信号組合せが得られる状態でエンコーダ５４が停止し、筆記芯出没機構１０の駆動カム１１が停止するので、目標とする筆記芯出没状態が達成される。
【００５２】
このような情報処理部１８０の処理によれば、スイッチ９１，９２の操作手順によってユーザの指示が入力されるので、筆記芯３の数よりも少ない２つのスイッチ９１，９２で、４種類のユーザの指示を受け付けることができる。従って、スイッチ数を少なくして操作部１６０の簡略化が図られる。この電動多芯筆記具１０１において、前述の電動多芯筆記具１と同一又は同等の構成については、図面に同一符号を付し重複する説明を省略する。
【００５３】
本発明は、上記実施形態に限定されるものではない。例えば、実施形態では減速モータ２０の出力軸は一方向にのみ回転させることとしているが、双方向回転可能なモータを採用し、適宜、駆動カム１１を逆回転させて筆記芯出没状態を変更させるようにしてもよい。この場合、筆記芯制御手段が、筆記芯出没状態を移行させるための駆動カム１１の回転角度が小さくなるようにモータの回転方向を選択する処理を行うこととしてもよい。また、モータは、ステッピングモータであってもよい。また、位置検出部５５に用いられるセンサはフォトセンサに限定されず、位置検出部５５には、フォトセンサＡ，Ｂに代えて、近接スイッチ、リミットスイッチ等を適宜用いることができる。
【図面の簡単な説明】
【００５４】
【図１】本発明に係る電動多芯筆記具の第１実施形態を示す断面図である。
【図２】図１の拡大断面図である。
【図３】図１の電動多芯筆記具の各機能的要素を示すブロック図である。
【図４】筆記芯出没機構を示す斜視図である。
【図５】（Ａ）は位置検出部を示す概略図であり、（Ｂ）はフォトセンサＡ，Ｂのオン／オフを示すタイミングチャートである。
【図６】図１の電動多芯筆記具における情報処理部の処理を示すフローチャートである。
【図７】図６に示される処理の一部の詳細を示すフローチャート図である。
【図８】本発明に係る電動多芯筆記具の第２実施形態を示すブロック図である。
【図９】図８の電動多芯筆記具における情報処理部の処理を示すフローチャートである。
【符号の説明】
【００５５】
１，１０１…電動多芯筆記具、２…軸筒、３…筆記芯、３ｒ…赤芯、３ｋ…黒芯、３ｂ…青芯、１０…筆記芯出没機構（筆記芯制御手段）、２０…減速モータ（筆記芯制御手段）、５５…位置検出部（出没状態検知手段）、６０，１６０…操作部（操作受付手段）、６１ｒ，６１ｋ，６１ｂ，９１，９２…スイッチ、７０…モータ制御部（筆記芯制御手段）。
【図１】
0005270969.tif 000002
【図２】
0005270969.tif 000003
【図３】
0005270969.tif 000004
【図４】
0005270969.tif 000005
【図５】
0005270969.tif 000006
【図６】
0005270969.tif 000007
【図７】
0005270969.tif 000008
【図８】
0005270969.tif 000009
【図９】
0005270969.tif 000010